(57)【要約】【課題】配線の接続や取り外し時の作業効率を向上させた端子台装置を提供する。【解決手段】雌ねじを螺設したねじ穴４が複数列設された端子接続部５を備えた端子台装置において、前記端子接続部は、複数の前記ねじ穴の各中心軸線を含む面に沿って分割され、分割された一方が端子台本体１Ａの側に属するのに対して、分割された他方から成っていて、前記端子台本体の分割部Ｄに対して着脱可能に形成されたブロック状の可動片１Ｂを備え、前記可動片を前記端子台本体の分割部から離間させたときに、前記雌ねじ４ａに螺合された端子ねじ３を一斉に取り外し可能としたことを特徴とするものである。【選択図】図１
2017130291.tif 000002
【特許請求の範囲】
【請求項１】
雌ねじを螺設したねじ穴が複数列設された端子接続部を備えた端子台装置において、前記端子接続部は、複数の前記ねじ穴の各中心軸線を含む面に沿って分割され、分割された一方が端子台本体の側に属するのに対して、分割された他方から成っていて、前記端子台本体の分割部に対して着脱可能に形成されたブロック状の可動片を備え、前記可動片を前記端子台本体の分割部から離間させたときに、前記雌ねじに螺合された端子ねじを一斉に取り外し可能としたことを特徴とする端子台装置。
【請求項２】
前記端子台本体と前記可動片との間に設けられ、前記可動片を前記端子台本体の分割部から離間させる間、該可動片を前記端子台本体に対して離間方向に移動自在に係止する可動片係止部材を備えたことを特徴とする請求項１記載の端子台装置。
【請求項３】
前記端子台本体と前記可動片との間に、該端子台本体の分割部に対して前記可動片を離間させる方向に常時付勢する弾性部材を備えたことを特徴とする請求項２記載の端子台装置。
【請求項４】
前記可動片を前記端子台本体の分割部から離間させたときに、前記端子ねじを前記端子台本体に対して係止し得る端子ねじ落下防止部材を前記端子台本体に備えたことを特徴とする請求項１から請求項３までの何れかに記載の端子台装置。
【請求項５】
前記可動片を前記端子台本体の分割部に合体させたときに該可動片を前記端子台本体に固定するための可動片固定ねじが螺合される固定用ねじ穴を前記端子ねじのねじ穴の中心軸線と平行に設けたことを特徴とする請求項１から請求項４までの何れかに記載の端子台装置。
【請求項６】
前記可動片及び前記端子台本体の何れか一方に設けられた係合部と、何れか他方に揺動可能に設けられ、前記可動片を前記端子台本体の分割部に合体させたときに前記係合部に係止されることにより前記可動片を前記端子台本体に固定し得る係合子と、を備えたことを特徴とする請求項１から請求項４までの何れかに記載の端子台装置。
【発明の詳細な説明】
【技術分野】
【０００１】
本発明は、例えば配電盤・制御盤（以下「盤」という）の配線の接続、分岐又は中継等に使用される端子台装置に関する。
【背景技術】
【０００２】
端子台装置には数多くの電線が接続されるので、接続作業を効率化するための様々な提案が行われている。例えば、ねじ込みプラグを回転するだけで導電ブロックを短絡または絶縁できる構造を持ち、操作性に優れている端子台が開示されている（例えば特許文献１参照）。また、ねじの取り付けの組立性を改善する先行技術として、配線をねじで固定する配線ボックスにて、雌ねじを分割した一対の割ナットを中空部内で移動自在に配設する構造とし、配線器具の取り付けを短時間で行うことを可能にしたものがある（例えば特許文献２参照）。
【先行技術文献】
【特許文献】
【０００３】
【特許文献１】特開２０１１−１８２５３９号公報（第９頁、図１、２）
【特許文献２】特開平０８−２０５３５４号公報（第５頁、図１）
【発明の概要】
【発明が解決しようとする課題】
【０００４】
盤に付属する端子台装置は数が多く、盤の製作時、試験時、据付時等に端子台装置に電線やケーブルを接続するため、頻繁に端子ねじの締め外しが行われる。従来の端子台装置において、電線１本を端子台装置に接続または離線する度に端子ねじを端子台装置から取り外し、電線を接続または離線し、端子ねじを締め直すという作業が必要である。このように端子ねじの締め外しを何度も繰り返さなければならないため、電線接続作業に膨大な時間がかかり、作業効率が低いという問題があった。
【０００５】
本発明は上記のような課題を解決するためになされたものであり、配線の接続や取り外し時の作業効率を向上させた端子台装置を得ることを目的としている。
【課題を解決するための手段】
【０００６】
本発明に係る端子台装置は、雌ねじを螺設したねじ穴が複数列設された端子接続部を備えた端子台装置において、前記端子接続部は、複数の前記ねじ穴の各中心軸線を含む面に沿って分割され、分割された一方が端子台本体の側に属するのに対して、分割された他方から成っていて、前記端子台本体の分割部に対して着脱可能に形成されたブロック状の可動片を備え、前記可動片を前記端子台本体の分割部から離間させたときに、前記雌ねじに螺合された端子ねじを一斉に取り外し可能としたことを特徴とするものである。
【発明の効果】
【０００７】
本発明によれば、雌ねじを螺設したねじ穴が複数列設された端子接続部を複数の前記ねじ穴の各中心軸線を含む面に沿って分割し、分割された一方が端子台本体の側に属するのに対して、分割された他方から成っていて、前記端子台本体の分割部に対して着脱可能に形成されたブロック状の可動片を備え、前記可動片を前記端子台本体の分割部から離間させたときに、前記雌ねじに螺合された端子ねじを一斉に取り外し可能としたので、端子ねじの締め外しを行う作業の効率化を図ることができる。
【図面の簡単な説明】
【０００８】
【図１】本発明の実施の形態１による端子台装置の要部構成を概念的に示す斜視図である。
【図２】図１に示された端子台装置の使用時の状態を概念的に示す斜視図である。
【図３】図１に示された端子台装置の実施例を示す全体図である。
【図４】本発明の実施の形態２による端子台装置の要部構成を概念的に示す斜視図である。
【図５】本発明の実施の形態３による端子台装置の動作を説明する要部断面図である。
【図６】本発明の実施の形態４による端子台装置の要部構成を概念的に示す斜視図である。
【図７】本発明の実施の形態５による端子台装置の動作を説明する要部断面図である。
【図８】本発明の実施の形態６による端子台装置の要部構成を概念的に示す斜視図である。
【図９】図８に示された端子台装置の要部構成の詳細、及び動作を説明する要部断面図である。
【発明を実施するための形態】
【０００９】
以下、本発明の実施の形態を図面に基づいて説明する。なお、各図を通じて同一または相当する機能を有する要素には同一符号を付して説明する。
実施の形態１．
以下、本発明の実施の形態１による端子台装置を図１〜３に基づいて説明する。図１は本発明の実施の形態１による端子台装置の要部構成を概念的に示す斜視図、図２は図１に示された端子台装置の使用時の状態を概念的に示す斜視図、図３は図１に示された端子台装置の実施例を示す全体図である。図において、端子台装置１は、配線の端子２を固定するための端子ねじ３と、端子ねじ３に螺合する雌ねじ４ａが螺設されたねじ穴４が列設された端子接続部５と、を備えている。本発明の第一の特徴部分である端子接続部５は、複数のねじ穴４の各中心軸線を含む面に沿って分割されていて、分割された一方が端子台本体１Ａの側に属しているのに対して、分割された他方は、端子台装置１の分割部Ｄに対して着脱可能に形成されたブロック状の可動片１Ｂによって構成されている。端子２は座金３１を装着した端子ねじ３によってねじ穴４に固定される。
【００１０】
なお、可動片１Ｂを分割部Ｄに対して合体させるときは、端子台本体１Ａ側に設けられた固定用ねじ穴６に対して可動片固定ねじ７を可動片１Ｂに設けられた固定ねじ挿通孔７ａを通して締結することによって固定する。また、図１、図２は本発明の実施の形態１を実施するための要素部分を説明するものであって、実用に供する実施例としては図３に示すように端子ねじ３が図における上下対称的に所定数列設された、外観上従来の端子台装置とほぼ同様形状のものである。そして、典型的な例としては、図３における上下の同一位置に並ぶ端子ねじ３を備えた接続部相互は上下方向の各列毎に個々に電気的に導通されているが、その形態や接続手法などは特に限定されるものではない。図１、２に示す端子台装置１においても、図の手前側の端子接続部５の座面部５ａと奥側の端子接続部５の図示されていない座面部５ａとは個々に電気的に接続されている。接続手法の具体例としては、上下の同一位置に並ぶ座面部５ａ相互が電気的に接続されるように、座面部５ａ双方に跨る例えば短冊状の導電材料（図示省略）によって構成し、上下間の中央部分を、例えば端子台本体１Ａを構成する絶縁樹脂にモールド成形によって埋め込み固定する。
【００１１】
また、端子台本体１Ａと可動片１Ｂは有機絶縁材料、無機絶縁材料、あるいはそれらを複合した絶縁材料からなる。ねじ穴４は端子台本体１Ａと可動片１Ｂを形成している絶縁材料に直接形成されたものであってもよいが、端子ねじ３を締付けたときの強度を確保するために雌ねじ４ａを形成している部分を、例えば銅や銅合金、ニッケルメッキなどの金属材料によって構成しても良い。その場合、金属材料は例えばモールド成形など公知の技術によって絶縁材料中に埋め込み、または表面に固着形成することができる。何れの場合も、可動片１Ｂを端子台本体１Ａとの分割部Ｄに合体させたときに、ねじ穴４の雌ねじ４ａを形成する山と谷が一つの正確な螺旋状を形成するように周方向及び軸方向のずれを許容範囲内に小さくすることが重要である。
【００１２】
次に動作について説明する。配線の端子２を端子ねじ３によって端子台装置１に固定する際には、図２に示すように、可動片１Ｂが端子台本体１Ａと合体され両端部の複数の可動片固定ねじ７によって一体化された端子台装置１となっている。多数の配線の端子２が端子台装置１に接続された状態で、可動片１Ｂを端子台本体１Ａに固定している可動片固定ねじ７を外すことで可動片１Ｂを端子台本体１Ａから図１の矢印Ａのように取り外すことができる。可動片１Ｂを端子台本体１Ａから取り外した状態が図１の状態となる。端子２を端子台装置１から離線する際、可動片１Ｂが取り外されると雌ねじ４ａ部が２つに分割されるため、端子ねじ３、端子２が雌ねじ４ａ部で固定できなくなり、端子ねじ３、端子２を容易に取り外すことが可能となる。同様に端子台装置１に固定されている複数の端子ねじ３を一度に取り外すことが可能となるため、例えば電線の接続、取り外し時に端子ねじ３を１本ずつ締め外しする作業が不要となる。
【００１３】
上記のように実施の形態１によれば、雌ねじ４ａを螺設したねじ穴４が複数列設された端子接続部５を複数のねじ穴４の各中心軸線を含む面に沿って分割し、分割された一方は端子台本体１Ａの側に属するのに対して、分割された他方から成り、端子台本体１Ａの分割部Ｄに対して着脱可能に形成されたブロック状の可動片１Ｂを備え、その可動片１Ｂを端子台本体１Ａの分割部Ｄから離間させたときに、雌ねじ４ａに螺合された端子ねじ３を一斉に取り外し可能としたので、端子ねじの締め外しを行う作業の効率化を図ることができる。
【００１４】
実施の形態２．
図４は本発明の実施の形態２による端子台装置の要部構成を概念的に示す斜視図である。図において、可動片１Ｂには端子台本体１Ａの方向に平行に突出された丸棒状の２本のガイド部材８ａが固定され、端子台本体１Ａの両端部の枠部分にはそのガイド部材８ａが挿入されるガイド穴８ｂが平行に２か所設けられている。なお、ガイド部材８ａとガイド穴８ｂによって、可動片１Ｂを端子台本体１Ａに対して離間方向に移動自在に係止する可動片係止部材８が構成されている。その他の構成は実施の形態１と同様である。
【００１５】
上記のように構成された実施の形態２においては、端子台装置１から図示されていない端子ねじ３ないしは配線の端子２を取り外すために、可動片１Ｂを端子台本体１Ａから分割する際に可動片１Ｂに設けられた２本のガイド部材８ａが端子台本体１Ａに設けられたガイド穴８ｂに対して離間方向に移動自在に係止されているので、可動片１Ｂが端子台本体１Ａから落下することなく、作業者としては可動片１Ｂの保持が必要ない状態で端子ねじ３を取り外すことができる。このため、可動片１Ｂが端子台本体１Ａから離間された際、作業者は可動片１Ｂを保持し続ける必要がないので、作業性が改善できるという更なる効果が得られる。
【００１６】
実施の形態３．
図５は本発明の実施の形態３による端子台装置の動作を説明する要部断面図である。なお、図５の（ａ）から（ｄ）は端子ねじを取外すときの動作状態を順番に示しており、接続される配線及びその端子は図示を省略している。図において、端子接続部５の上面部には、板材によって形成された端子ねじ保持部材９が図の左右方向に移動可能に設けられている。端子ねじ保持部材９は端子ねじ３の軸部を挿通し頭部を保持し得るリング状の端子ねじ保持部９ａと、その端子ねじ保持部９ａの周縁部から面方向に延出された片の右端部を上方向に折曲した形状の突起９ｂが設けられている。一方、端子台本体１Ａの端子接続部５の側壁部には端子ねじ保持部材９の突起９ｂの部分を受入れて左右方向に所定寸法の移動を許す係止部１０が形成されている。係止部１０は突起９ｂの高さよりも寸法が大の空所１０ａと空所１０ａに対する分割部Ｄの方向の端部に垂下するように形成され突起９ｂに干渉して端子ねじ保持部材９の脱落を防ぐ係合突起１０ｂからなる。なお、この実施の形態の例では、端子ねじ保持部材９及び係止部１０によって端子ねじ落下防止部材１１が構成されている。その他の構成は実施の形態１と同様である。
【００１７】
上記のように構成された実施の形態３においては、端子台装置１に配線を固定するときは図５（ａ）に示すように可動片１Ｂが端子台本体１Ａに合体され、通常と同じ形状となったねじ穴４に対して図示省略している配線の端子を端子ねじ保持部材９を介して端子ねじ３で固定する。端子台装置１に接続された配線を外す際には、図示されていない可動片固定ねじ７を外した後、可動片１Ｂを矢印Ｂ方向に移動させて分割部Ｄから離間させて図５（ｂ）の状態とする。このとき、配線を固定している端子ねじ３は図５（ｃ）に示す破線矢印Ｃのように移動可能となる。端子ねじ３は端子ねじ保持部材９に係止されているので、可動片１Ｂを端子台本体１Ａの分割部Ｄから離間させただけでは端子台装置１から落下することはない。図示省略している端子あるいは端子ねじ保持部材９から端子ねじ３を外す必要があるときは図５（ｄ）の破線矢印Ｅのように図の上方向に引き抜けばよい。
【００１８】
上記のように、実施の形態３によれば、可動片１Ｂを分割部Ｄから離間させたときに端子ねじ３の落下防止ができると共に、端子ねじ保持部材９が端子接続部５に常時装着された状態となってことにより、座金の取付を不要にできるので、作業性も向上できるという更なる効果が得られる
【００１９】
実施の形態４．
図６は本発明の実施の形態４による端子台装置の要部構成を概念的に示す斜視図である。図において、可動片１Ｂの左右の上端部には端子台本体１Ａの方向に伸び出た複数の突起部１２ａが設けられている。そして、端子台本体１Ａの端子接続部５の側方部には、可動片１Ｂを分割部Ｄに合体させたときに可動片１Ｂの突起部１２ａが重合される可動片固定座部１２ｂが形成され、さらに、可動片固定ねじ７の固定ねじ挿通孔７ａ、及び可動片固定座部１２ｂに設けられた固定用ねじ穴６は、端子ねじ３（図示省略）のねじ穴４の中心軸線と平行に設けられている。その他の構成は実施の形態１と同様である。
【００２０】
前述の実施の形態１では、可動片固定ねじ７が端子台装置１の側面側に設けられているため、端子台装置の設置状況や配線状況によっては可動片固定ねじ７の取り外しが困難となる場合があり得るが、実施の形態４では、可動片固定ねじ７を端子台装置１の取付時の正面側ないしは端子ねじ３を締付けるときの頭部側に設ける構造としたことで、端子ねじ３と同様に正面側から可動片固定ねじ７の取り外しが可能となり、作業性の向上が可能となる。
【００２１】
実施の形態５．
図７は本発明の実施の形態５による端子台装置の動作を説明する要部断面図である。なお、（ａ）は可動片の合体時の状態、（ｂ）は分離時の状態を模式的に示している。図において、可動片１Ｂにおける、ねじ穴４の列設方向（図の上下方向）の一端部及び他端部には係合突起１３がそれぞれ突出されている。一方、端子台本体１Ａにおける、ねじ穴４の列設方向の一端部及び他端部には、前述の係合突起１３を受入れて可動片１Ｂの着脱方向に所定範囲で移動自在にガイドするスライド溝１４がそれぞれ設けられている。スライド溝１４における可動片１Ｂの移動方向の一端部には係合突起１３の移動範囲を規制するストッパ部１４ａが設けられている。そして、スライド溝１４の他端部側には、係合突起１３を常時矢印Ｆ方向に付勢するためのスプリング状の圧縮ばねからなる弾性部材１５と、その弾性部材１５の一端部を係止する固定部１４ｂが設けられている。なお、図７では簡素化のためねじ穴４は１個所のみ図示し、更に可動片１Ｂを固定する可動片固定ねじ７とそのねじ穴６などは図示を省略している。その他の構成は実施の形態１と同様である。
【００２２】
上記のように構成された実施の形態５においては、係合片４を分割部Ｄに合体させ端子台本体１Ａに固定しているときには図７（ａ）の状態で通常と同様に使用される。一方、複数の端子ねじを外す際には、図示されていない可動片固定ねじ７を外すことで、弾性部材１５によって可動片１Ｂが図７（ｂ）の破線矢印Ｆの方向にスライド移動されてねじ穴４ａが分割されることで複数の端子ねじを一斉に外すことができる状態となる。
上記のように、実施の形態５によれば、作業者が可動片１Ｂを離間方向に移動させる作業の必要がなくなるため、操作性や作業性の向上が可能となる。また可動片１Ｂは端子台本体１Ａと一体構造となっているため、可動片１Ｂの落下防止も可能となる。
【００２３】
実施の形態６．
図８は本発明の実施の形態６による端子台装置の要部構成を概念的に示す斜視図、図９は図８に示された端子台装置の要部構成の詳細、及び動作を説明する要部断面図である。なお、図９の（ａ）は可動片の合体時の状態、（ｂ）は可動片を分離させるために係合解除部材を押し込んだ状態、（ｃ）は可動片を分割部から分離させた状態を示している。なお、図９ではねじ穴４の列設方向の一端部側のみ図示しているが、他端部側も対称的に同様に構成されている。
図において、可動片１Ｂにおける、ねじ穴４の列設方向の一端面及び他端面には、圧縮ばねからなる弾性部材１６によって端面１ｂから常時突出され、弾性部材１６の伸長力に抗して押されたときに少なくとも端面１ｂの面位置まで後退し得る係合爪からなる係合子１７がそれぞれ突出されている。
【００２４】
一方、端子台本体１Ａには、可動片１Ｂとの合体時に、係合子１７が押し込まれた状態の可動片１Ｂを受入れられるように外枠部１８の内側空間によってコ字形状に形成された係合片収容部１９と、その係合片収容部１９における可動片１Ｂの端面１ｂとの対向部に形成され、可動片１Ｂが分割部Ｄに合体された時に可動片１Ｂの係合子１７を受入れて可動片１Ｂを端子台本体１Ａに係止するための爪受け穴からなる係合部１８ａが一対と、可動片１Ｂを分割部Ｄから離間させるときに係合部１８ａに係止された係合子１７を押し込むための係合解除部材２０が係合部１８ａに連なって、外枠部１８の外側面に開口された四角形の解除部材保持穴１８ｂ内に保持されて設けられている。なお、図８における右上側の端子接続部５も同様に構成されている。
【００２５】
上記のように構成された実施の形態６においては、可動片１Ｂを端子台本体１Ａに合体させた状態では、図９（ａ）に示すように可動片１Ｂの側端面に設けた係合子１７が、端子台本体１Ａの係合部１８ａに弾性部材１６の伸長力によって進入し、可動片１Ｂが端子台本体１Ａに固定される。なお、係合解除部材２０は図示省略している係止手段によって解除部材保持穴１８ｂに保持されている。そして、図示されていない配線の端子を固定している端子ねじ３をねじ穴４から外すときは、解除部材保持穴１８ｂに設けられた係合解除部材２０を図９（ｂ）に示すように端子台本体１Ａの外側から中側へ矢印Ｇのように押込むことで係合子１７が可動片１Ｂの端面１ｂの内側に移動されて、可動片１Ｂと端子台本体１Ａとの係合が解除され、可動片１Ｂを図９（ｃ）に示すように矢印Ｈ方向に移動させて分割部Ｄから離間させることが可能となる。なお、図９（ｂ）の矢印Ｇと、図８の矢印Ｇとは、係合解除部材２０を押し込む方向が一端部側と他端部側で逆であるため、互いに逆向きとなっている。
【００２６】
上記のように、実施の形態６によれば、可動片１Ｂを端子台本体１Ａに合体させるとき、及び分割させるときに、可動片固定ねじ７や、その可動片固定ねじ７を締付けあるいは緩めるドライバー等の器具が不要になるので、作業性が一層向上するという更なる効果が得られる。
【００２７】
なお、本発明は、その発明の範囲内において、実施の形態を自由に組合せたり、各実施の形態を適宜、変形、省略することが可能である。
【符号の説明】
【００２８】
端子台装置１、  端子台本体１Ａ、  可動片１Ｂ、  端面１ｂ、  端子２、  端子ねじ３、  ねじ穴４、  雌ねじ４ａ、  端子接続部５、  座面部５ａ、  固定用ねじ穴６、  可動片固定ねじ７、  固定ねじ挿通孔７ａ、  可動片係止部材８、  ガイド部材８ａ、  ガイド穴８ｂ、  端子ねじ保持部材９、  端子ねじ保持部９ａ、  突起９ｂ、  係止部１０、  空所１０ａ、  係合突起１０ｂ、  端子ねじ落下防止部材１１、  突起部１２ａ、  可動片固定座部１２ｂ、  係合突起１３、  スライド溝１４、  ストッパ部１４ａ、  固定部１４ｂ、  弾性部材１５、  弾性部材１６、  係合子１７、  外枠部１８、  係合部１８ａ、  解除部材保持穴１８ｂ、  係合片収容部１９、  係合解除部材２０、  座金３１。
【図１】
2017130291.tif 000003
【図２】
2017130291.tif 000004
【図３】
2017130291.tif 000005
【図４】
2017130291.tif 000006
【図５】
2017130291.tif 000007
【図６】
2017130291.tif 000008
【図７】
2017130291.tif 000009
【図８】
2017130291.tif 000010
【図９】
2017130291.tif 000011